(57)【要約】【課題】　　　　　　本発明による光ピックアップ装置は、ディスク厚さが異なる２種類のディスクを再生可能な光ピックアップにおいて、フォーカスアクチュエータのＤＣオフセットの発生による発熱を減少させ、この発熱による対物レンズの収差の変化を抑えピックアップ性能の変化を抑制することを目的とする。【解決手段】　　　　ディスク表面から情報記録面までの距離が第１の長さを有する第１の光ディスクと距離が第１の長さよりも小なる第２の長さを有する第２の光ディスクとから記録情報を読み取る光ピックアップ装置において、第１の光ディスクと第２の光ディスクとにおいて、単一焦点の対物レンズを保持するレンズホルダに印加する電流を一定とする光ピックアップ装置。【選択図】　　　　　図１
2004030925.tif 000002
【特許請求の範囲】
【請求項１】
ディスク表面から情報記録面までの距離が第１の長さを有する第１の光ディスクと前記距離が前記第１の長さよりも小なる第２の長さを有する第２の光ディスクとに対して光ビームを照射し、該光ビームの情報記録面からの反射光に基づいて記録情報を読み取る光ピックアップ装置において、
　単一焦点の対物レンズと、
　前記対物レンズを保持するレンズホルダと、
　前記レンズホルダを支持する支持部材と、
　前記反射光からフォーカスエラー信号を生成するフォーカスエラー信号生成手段と、
　前記フォーカスエラー信号に基づいて前記光ビームが前記情報記録面上で集光するように前記対物レンズを駆動制御するフォーカス制御手段と、を備え、
　前記フォーカス制御手段は、前記第１の光ディスクと前記第２の光ディスクとにおいて、前記レンズホルダに印加する電流を一定とすることを特徴とする光ピックアップ装置。
【請求項２】
前記フォーカス制御手段は、前記第１の光ディスクの情報記録面に集光させる場合、前記対物レンズを自重による垂れ下がり位置から前記第１の光ディスクへ近づく方向へ所定距離だけ移動させ、前記第２の光ディスクの情報記録面に集光させる場合、前記対物レンズを自重による垂れ下がり位置から前記第２の光ディスクから離れる方向へ該所定距離だけ移動させることを特徴とする請求項１記載の光ピックアップ装置。
【請求項３】
前記フォーカス制御手段は、前記対物レンズが前記第１の光ディスクの情報記録面上に集光する場合の移動量と、前記対物レンズが前記第２の光ディスクの情報記録面上に集光する場合の移動量との絶対値が等しくなる電流を前記レンズホルダに印加することを特徴とする請求項１記載の光ピックアップ装置。
【発明の詳細な説明】
【技術分野】
【０００１】
　本発明は光ピックアップ装置に関し、特にディスク保護膜の厚さの異なる２種類の光ディスクに記録された信号を読み取り可能な光ピックアップ装置に関する。
【背景技術】
【０００２】
　光ディスクなどの光記録媒体から記録情報を読み取る光ピックアップ装置は、光源から出射された光ビームを光記録媒体の記録面上に集光させて所要の情報読み取り用ビームスポットを得るためのフォーカス機構を備えている。このフォーカス機構は、図５に示すように対物レンズ２を保持するレンズホルダ３を支持部材であるワイヤサスペンション４で片持ち支持する構造を取り、例えば非点収差法等によって生成されたフォーカスエラー信号に基づいてレンズホルダ３に巻き回されたムービングコイル（図示せず）に電流を流すことによって、図示しない外部磁界との電磁作用によって対物レンズを含むレンズホルダ３の自重垂れ位置（ムービングコイルに電流を流さない状態でサスペンションベース５によって支持される自重による垂れ下がり位置）Ｘを中心にディスク記録面１ｃに対して垂直方向にレンズホルダ３を駆動することができる。この際、自重垂れ位置Ｘは対物レンズ２から光ディスクの記録面１ｃまでの距離がほぼレンズの集光距離Ａとなるように位置決めされる。尚、ディスクは同一のターンテーブル（図示せず）上にディスク記録面１ｃの保護層１ｂを介して載置される。
【発明の開示】
【発明が解決しようとする課題】
【０００３】
　ところで、最近、記録面の保護層が従来のコンパクトディスク（以下、ＣＤと称する。）のほぼ半分であるとともに記録容量がＣＤのほぼ１０倍にもなる光ディスク（以下、ＳＤと称する。）の開発が盛んである。
【０００４】
　ＣＤとＳＤは同じ光ディスクであり、基本的な読み取り原理が同じであるため、この両方の光ディスクを再生可能な再生装置の実現が期待されている。この際、装置の小型化を考慮すると、記録情報の読み取りに用いられる光ピックアップ装置を共用することが望ましい。ところが、上述したとおり、ＣＤとＳＤでは、記録面の保護層の厚さが約倍も異なるため、具体的にはＣＤの保護層の厚さが約１．２ｍｍに対してＳＤのそれは約０．６ｍｍであるため、単一焦点の対物レンズを有する光ピックアップ装置で両者のディスクに対してフォーカス制御を行なうことを考えた場合、対物レンズの自重垂れ位置をどちらか一方のディスクの保護層の厚さに基づいて位置決めすると、他方のディスクに対してフォーカス制御する際には、フォーカス制御に伴ってレンズを駆動する時の駆動中心が異なるため、ムービングコイルには常にＤＣ成分（ＤＣオフセット）が印加されることになる。例えばＣＤの保護層の厚さに基づいて位置決めした場合、ＣＤに対してフォーカス制御する際には、図４（ａ）に示す自重垂れ位置Ｘが駆動中心となり、ＤＣオフセットの発生はないが、ＳＤに対しては、保護層１ｂがＣＤに対して約０．６ｍｍ短くなるため、駆動中心は図４（ｂ）に示すように、自重垂れ位置Ｘに対して、およそ０．６ｍｍディスク表面から遠ざかった位置Ｘ′になる。つまり、ＳＤに対してフォーカス制御をなすと、定常的に自重垂れ位置Ｘより０．６ｍｍ離間させるべく制御されることになるため、ムービングコイルには０．６ｍｍ駆動するのに相当する定常電流（直流オフセット）が印加されるのである。
【０００５】
　ムービングコイルには抵抗が存在するするため、ＤＣオフセットの発生により、発熱する。この発熱により対物レンズの収差が変化することになり、ＣＤ再生時とＳＤ再生時とでピックアップ性能が変化してしまうという問題があった。
【課題を解決するための手段】
【０００６】
　本発明は上記のような課題を解決するために考えられたもので、ディスク表面から情報記録面までの距離が第１の長さを有する第１の光ディスクと前記距離が前記第１の長さよりも小なる第２の長さを有する第２の光ディスクとに対して光ビームを照射し、該光ビームの情報記録面からの反射光に基づいて記録情報を読み取る光ピックアップ装置において、単一焦点の対物レンズと、前記対物レンズを保持するレンズホルダと、前記レンズホルダを支持する支持部材と、前記反射光からフォーカスエラー信号を生成するフォーカスエラー信号生成手段と、前記フォーカスエラー信号に基づいて前記光ビームが前記情報記録面上で集光するように前記対物レンズを駆動制御するフォーカス制御手段と、を備え、前記フォーカス制御手段は、前記第１の光ディスクと前記第２の光ディスクとにおいて、前記レンズホルダに印加する電流を一定とすることを特徴とする。
【発明を実施するための最良の形態】
【０００７】
　以下、本発明の好ましい実施形態について、図面を参照して説明する。図１に、本発明に係わる光ピックアップ装置を示す。図１において図４と異なる点は、ムービングコイルに電流を流さないときの対物レンズから光ディスク１の記録面１ｃまでの距離が、第１の光ディスクに対してはＡ＋α、第１の光ディスクの保護層１ｂの厚さより薄い厚さを有する第２の光ディスクに対してはＡ−αとなるように、自重垂れ位置Ｘ、つまり、サスペンションベース５によるレンズホルダ３の支持位置を設定したことである。ここで、Ａは、対物レンズ２の焦点距離であり、αは第１の光ディスクの保護層１ｂの厚さと第２の光ディスクの保護層１ｂの厚さの差の半分に相当する長さである。例えば、第１の光ディスクをＣＤ（保護層の厚さ約１．２ｍｍ）、第２の光ディスクをＳＤ（保護層の厚さ約０．６ｍｍ）とした場合には、αは、約０．３ｍｍである。
【０００８】
　このような構成により本発明によるピックアップ装置には、ＣＤに対してフォーカス制御を行った場合と、ＳＤに対してフォーカス制御を行った場合に、図２に示すように移動方向は逆であるが移動する絶対量が等しい直流オフセット（移動量αに相当する）が定常的に生じることになる。従って、ＣＤの再生時とＳＤの再生時で直流オフセットによる所定時間当たりの発熱量が同じになるため、発熱による対物レンズの収差の変化量をディスクの種類に拘らず一定とすることができ、ピックアップ性能を一定に維持できるのである。
【０００９】
　尚、保護層の厚さが異なる３種類以上の光ディスクに対して、単一の単焦点レンズにて記録情報を読み取る場合には、図３に示す構成にすると良い。図３においてピックアップボディ７は、その内部に図１に示すように構成されたピックアップ装置を含み、支点１０を中心に揺動運動をするアーム１１及びウォームギア８を介して与えられる駆動モータ９の駆動力によってディスク記録面１ｃに対して垂直方向に揺動される。さらに、駆動モータ９には、ピックアップボディ７に含まれるピックアップ装置から与えられるフォーカスエラー信号の低域成分の絶対量（直流オフセット）と所定の直流電圧との差動分が零となる方向に駆動力を発生させる駆動信号が印加される構成となっている。このように構成することにより、保護層の厚さが異なるあらゆるディスクに対しても、ピックアップ装置に印加される直流オフセット量を一定にすることができる。尚、図３に示す構成の場合、所定の直流電圧は０でも良い。
【図面の簡単な説明】
【００１０】
【図１】本発明の実施例の光ピックアップ装置のフォーカスに関する基本的位置関係を示す図である。
【図２】本発明の実施例の光ピックアップ装置のフォーカスに関する位置関係を示す図である。
【図３】従来のピックアップ高さ調整機構の一例を示す図である。
【図４】従来の光ピックアップ装置を用いた場合のフォーカスに関する位置関係を示す図である。
【図５】従来の光ピックアップ装置のフォーカスに関する位置関係を示す図である。
【符号の説明】
【００１１】
１  ・・・・・  ディスク
１ａ・・・・・  ディスク担持面
１ｂ・・・・・  保護層
１ｃ・・・・・  情報記録面
２  ・・・・・  対物レンズ
３  ・・・・・  レンズホルダ
４  ・・・・・  支持部材
５  ・・・・・  サスペンションベース
７  ・・・・・  ピックアップボディ
８  ・・・・・  ウォームギア
９  ・・・・・  駆動モータ
１０  ・・・・・  支点
１１  ・・・・・  アーム
【図１】
2004030925.tif 000003
【図２】
2004030925.tif 000004
【図３】
2004030925.tif 000005
【図４】
2004030925.tif 000006
【図５】
2004030925.tif 000007